(57)【要約】      （修正有）【課題】簡潔かつ適切な構成内容により、非常止め試験時に綱車を空転させるために必要なトルクを小さくして、巻上機用モータの大型化およびインバ−タ容量の増加を抑えるエレベータ装置および非常止め試験方法を提供する。【解決手段】釣合錘３を収納する釣合錘収納枠６に脱着可能として設置される固定治具８ａを備え、非常止め試験に際してジャッキ装置９により釣合錘収納枠６を持ち上げて上方向へ移動させるための固定治具８ａを昇降路に配設される釣合錘用ガイドレール７に取り付ける固定治具用穴１４からなる取付手段を釣合錘用ガイドレールに設けた。【選択図】図２
2006168846.tif 000002
【特許請求の範囲】
【請求項１】
かごと、前記かごとの釣合いをとる釣合錘と、一端部が前記かごに接続され、他端部が前記釣合錘に接続されたロープと、前記ロープが巻き掛けされた綱車と、前記綱車を駆動して前記かごおよび前記釣合錘を昇降させる巻上機用モータと、前記かごに設けられ、前記かごの異常落下時にかごを強制的に停止させる非常止め装置とを備えたエレベータ装置であって、前記釣合錘を収納する釣合錘収納枠に脱着可能として設置される固定装置を備え、非常止め試験に際して前記釣合錘収納枠を上方向へ移動させるための前記固定装置を釣合錘用ガイドレールに取り付ける取付手段を前記釣合錘用ガイドレールに設けたことを特徴とするエレベータ装置。
【請求項２】
前記釣合錘を収納した釣合錘収納枠に設けられるジャッキ装置を備え、非常止め試験に際して前記釣合錘用ガイドレールに取り付けられた前記固定装置を支点として前記ジャッキ装置により前記釣合錘収納枠を上方向へ移動させるジャッキアップ動作を行なわせるようにしたことを特徴とする請求項１に記載のエレベータ装置。
【請求項３】
かごと、前記かごとの釣合いをとる釣合錘と、一端部が前記かごに接続され、他端部が前記釣合錘に接続されたロープと、前記ロープが巻き掛けされた綱車と、前記綱車を駆動して前記かごおよび前記釣合錘を昇降させる巻上機用モータと、前記かごに設けられ、前記かごの異常落下時にかごを強制的に停止させる非常止め装置とを備えたエレベータ装置であって、前記釣合錘が通過する空間に対向する昇降路の壁面に出し入れ可能に設けられた固定装置と、前記釣合錘収納枠に収納される吊り上げ装置とを備え、非常止め試験に際し前記釣合錘が通過する空間に対向する昇降路の壁面に突出された前記固定装置を支点にして前記吊り上げ装置により前記釣合錘収納枠を上方向へ移動させるようにしたことを特徴とするエレベータ装置。
【請求項４】
前記固定治具および前記ジャッキ装置を前記釣合錘収納枠に設けることにより、前記固定治具および前記ジャッキ装置の重量を前記釣合錘に加重し通常運転時における前記釣合錘の一部機能の代替とすることを特徴とする請求項２に記載のエレベータ装置。
【請求項５】
前記吊り上げ装置を前記釣合錘収納枠に設けることにより、前記吊り上げ装置の重量を前記釣合錘に加重し通常運転時における前記釣合錘の一部機能の代替とすることを特徴とする請求項３に記載のエレベータ装置。
【請求項６】
前記固定装置に前記釣合錘収納枠からの落下を防止する落下防止手段を設けたことを特徴とする請求項２に記載のエレベータ装置。
【請求項７】
前記吊り上げ装置に前記釣合錘収納枠からの落下を防止する落下防止手段を設けたことを特徴とする請求項３に記載のエレベータ装置。
【請求項８】
かごと、前記かごとの釣合いをとる釣合錘と、一端部が前記かごに接続され、他端部が前記釣合錘に接続されたロープと、前記ロープが巻き掛けされた綱車と、前記綱車を駆動して前記かごおよび前記釣合錘を昇降させる巻上機用モータと、前記かごに設けられ、前記かごの異常落下時にかごを強制的に停止させる非常止め装置とを備えたエレベータ装置の非常止め試験に際して、前記釣合錘を収納する釣合錘収納枠に脱着可能として設置され前記釣合錘収納枠を上方向へ移動させるための固定装置を釣合錘用ガイドレールに固定する工程と、前記釣合錘用ガイドレールに固定された固定装置を支点としてジャッキ装置により前記釣合錘収納枠を上方向へ移動させるジャッキアップ動作を行う工程と含むことを特徴とするエレベータ装置の非常止め試験方法。
【請求項９】
かごと、前記かごとの釣合いをとる釣合錘と、一端部が前記かごに接続され、他端部が前記釣合錘に接続されたロープと、前記ロープが巻き掛けされた綱車と、前記綱車を駆動して前記かごおよび前記釣合錘を昇降させる巻上機用モータと、前記かごに設けられ、前記かごの異常落下時にかごを強制的に停止させる非常止め装置とを備えたエレベータ装置の非常止め試験に際して、前記釣合錘を収納する釣合錘収納枠を上方向へ移動させるための固定装置を前記釣合錘が通過する空間に対向する昇降路の壁面に突出させる工程と、前記釣合錘が通過する空間に対向する昇降路の壁面に突出された前記固定装置を支点として前記釣合錘収納枠に収納される吊り上げ装置により前記釣合錘収納枠を上方向へ移動させる引き上げ動作を行う工程と含むことを特徴とするエレベータ装置の非常止め試験方法。
【発明の詳細な説明】
【技術分野】
【０００１】
この発明は、エレベータ装置および非常止め試験方法、特に、かごの異常落下時にかごを強制的に停止させる非常止め装置を備えたエレベータ装置および非常止め試験方法に関するものである。
【背景技術】
【０００２】
一般的に、エレベータは、竣工の際、エレベータの安全性の検証として「非常止めの試験」が行われる。この試験はエレベータのかごに取り付けられた非常止めを作動させ、かごが動かないようにした状態で、かごを下降方向に動かすべく巻上機用モータを回転させる。
【０００３】
この時、かごは動かないのでシーブは釣合錘からロープのみをかご側に繰り出そうとし、ロープが緩み、ついにはシーブが空転する。もし、非常止めのかごを保持する力が不十分だとロープの繰り込んだ分だけが下降することになる。このようにして、「非常止めの安全性」が検証される。
【０００４】
しかしながら、綱車を空転させるためには、綱車とロープとの摩擦力に打ち勝つための大きなトルクが必要である。そのために、巻上機用モータのトルクを大きくしなければならず、巻上機用モータを大型化し、あるいはインバータ容量を増加する必要があるという問題点があった。
【０００５】
従来技術においては、非常止め試験での巻上機用モータに必要なトルクを小さくするため、釣合錘を第１錘と第２錘とに分割し、非常止め試験時には第２錘を切り離すようにしたものも提案されている（例えば、特許文献１参照）。
しかしながら、この従来技術では、重量が嵩む釣合錘を切り離すという面倒な操作を必要とする。
【０００６】
【特許文献１】特開平２００３−２５６４号公報
【発明の開示】
【発明が解決しようとする課題】
【０００７】
この発明は、簡潔かつ適切な構成内容により、非常止め試験時に綱車を空転させるために必要なトルクを小さくして、巻上機用モータの大型化およびインバ−タ容量の増加を抑えるエレベータ装置および非常止め試験方法を得ることを目的とする。
【課題を解決するための手段】
【０００８】
この発明に係るエレベータ装置は、かごと、前記かごとの釣合いをとる釣合錘と、一端部が前記かごに接続され、他端部が前記釣合錘に接続されたロープと、前記ロープが巻き掛けされた綱車と、前記綱車を駆動して前記かごおよび前記釣合錘を昇降させる巻上機用モータと、前記かごに設けられ、前記かごの異常落下時にかごを強制的に停止させる非常止め装置とを備えたエレベータ装置であって、前記釣合錘を収納する釣合錘収納枠に設けられ非常止め試験に際し釣合錘収納枠を上方へ移動させる装置を備えたものである。
【０００９】
また、この発明に係るエレベータ装置の非常止め試験方法は、かごと、前記かごとの釣合いをとる釣合錘と、一端部が前記かごに接続され、他端部が前記釣合錘に接続されたロープと、前記ロープが巻き掛けされた綱車と、前記綱車を駆動して前記かごおよび前記釣合錘を昇降させる巻上機用モータと、前記かごに設けられ、前記かごの異常落下時にかごを強制的に停止させる非常止め装置とを備えたエレベータ装置の非常止め試験に際して、前記釣合錘を収納する釣合錘収納枠に設けられる装置によって前記釣合錘収納枠を上方へ移動させるようにしたものである。
【発明の効果】
【００１０】
この発明によれば、簡潔かつ適切な構成内容により、非常止め試験時に綱車を空転させるために必要なトルクを小さくして、巻上機用モータの大型化およびインバ−タ容量の増加を抑えるエレベータ装置および非常止め試験方法を得ることができる。
【発明を実施するための最良の形態】
【００１１】
実施の形態１．
この発明による実施の形態１を図１から図３について説明する。図１は実施の形態１におけるエレベータ装置の全体構成を示す側面図である。図２は実施の形態１におけるエレベータ装置の釣合錘部分の構成を示す正面図である。図３は実施の形態１におけるエレベータ装置の固定治具を釣合錘用ガイドレールに固定する固定手段を示す斜視図である。
【００１２】
エレベータ装置の全体構成を示す図１において、エレベータ装置１は、かご２と、このかご２と釣合いをとる釣合錘３と、一端部がかご２に接続され、他端部が釣合錘３に接続されている主ロープ４と、主ロープ４に巻き掛けされた綱車１０とを備えている。さらに、エレベータ装置１は、綱車１０に連結された巻上機用モータ１１を備えており、この巻上機用モータ１１が綱車１０を回転させて、かご２および釣合錘３を昇降路１２内で昇降させている。
【００１３】
非常止め装置５は、通常、かご２の下部に設けられており、かごガイドレールＣＲをつかむ非常止めシューＥＳと、非常止めシューＥＳを動作させる非常止めレバーＥＬとを有している。この非常止めレバーＥＬは、鉛直方向に設けられたガバナロープＧＲに固定されており、通常運転時にはガバナロープＧＲとともに移動している。昇降路１２の上部には調速機（ガバナ）ＧＭが設けられており、例えば巻上機が制御不能になり、かご２が増速して降下し、かご２の速度が定格速度の１．２倍から１．４倍になるとこの調速機（ガバナ）ＧＭが動作し、ガバナシューＧＳでガバナロープＧＲを掴むようになっている。従って、何らかの原因で、かご２の下降速度が異常に大きくなると、調速機ＧＭが動作しガバナロープＧＲを掴むことにより、非常止めレバーＥＬを相対的に引き上げる。このようにして、非常止めレバーＥＬを動作させることにより、非常止めシューＥＳがかごガイドレールＣＲを掴み、その摩擦力でかご２を停止させる。
【００１４】
このように、非常止め装置５は大変重要な安全装置であり。この信頼性を維持するために、定期的に非常止め試験が行われる。非常止め試験は、ＪＩＳ  Ａ  ４３０２の基準を満たした条件および手順で行われる。即ち、まず、かご２内に錘を積まずに調速機のラッチを掛けガバナロープＧＲを固定して、非常止め装置５を動作させる。次に、巻上機用モータ１１を駆動して綱車１０をかご２が下降する向きに回転させる。かご２は非常止め装置５が動作して下降しないので、かご２を吊るしている主ロープ４が緩む。さらに綱車１０は主ロープ４をかご２に繰り出そうとするが、綱車１０と主ロープ４との静止摩擦力が釣合錘３の重さに耐えられなくなり、最後には綱車１０が空転する。もし、非常止め装置５がかご２を保持する力が不十分であって、非常止めでかごを支えることができないと、綱車１０が主ロープ４を繰り出した分だけ下降してしまうので、綱車１０は空転しない。このようにして、非常止め装置５が正常か否かの検証をすることができるのである。
【００１５】
しかしながら、綱車１０を空転させるためには、綱車１０と主ロープ４との摩擦力に打ち勝つための大きなトルクが必要である。
非常止め試験時に綱車１０を空転させるために必要なトルクＴｑは、次の（１）式のように表わされる。
Ｔｑ＝Ｔ２Ｓ（１−１／ｅμｋθ）・Ｄ／２  ……………  （１）
ただし、Ｔ２Ｓは釣合錘３側の主ロープ４の張力、μは主ロープ４と綱車１０との間の摩擦係数、ｋは綱車１０の溝形状から決まる定数、θは綱車１０上における主ロープ４の巻きつけ角度、Ｄは綱車１０の直径である。
従って、綱車１０を空転させるために巻上機用モータ１１のトルクがトルクＴｑに比べて小さくならないようにしなければならず、そのために巻上機用モータ１１を大型化し、あるいはインバータ容量を増加する必要があるという問題点があった。
【００１６】
図２および図３において、複数の釣合錘３を一式纏めて収納し昇降路１２内を昇降する釣合錘収納枠６の下部には、ジャッキ装置９が設置されている。また、固定治具８ａは、固定治具８ａと釣合錘収納枠６とに両端を結合された鎖などからなる落下防止用金具１３で釣合錘収納枠６と繋がれていて、常時は釣合錘収納枠７に収納されている。釣合錘用ガイドレール７には、固定治具８ａを支えるために適切な位置にあけられた固定治具用穴１４がある。
固定治具用穴１４は、図３（ａ）に示すように、断面Ｔ字状の釣合錘用ガイドレール７を構成する中央突出辺７ａから中央突出辺７ａと直角方向へ左右に延在する両辺７ｂ，７ｃのそれぞれに設けてもよく、図３（ｂ）に示すように、釣合錘用ガイドレール７の中央突出辺７ａに設けてもよい。
【００１７】
このような構成のエレベータ装置１は、以下のようにして非常止め試験が行われる。即ち非常止め装置５を動作させてかご２の落下方向の移動を止める。この時かご２と主ロープ４で結合されている釣合錘収納枠６は、上方向への移動が停止する。
この状態で、釣合錘収納枠６に収納されている固定治具８ａを釣合錘収納枠６の下部にあって釣合錘用ガイドレール７の適切な位置にあけられた固定治具用穴１４を利用して、釣合錘用ガイドレール７に固定する。
【００１８】
その後、釣合錘収納枠６の下部にあるジャッキ装置９を動作させて、固定治具８ａと釣合錘収納枠６の下部の隙間を広げる。固定治具８ａは釣合錘用ガイドレール７に固定されているが、釣合錘収納枠６はジャッキ装置９の動作によって、上方向に移動する。これにより、かご２と釣合錘収納枠６間を結合している主ロープ４の張力が抜けて、綱車１０と主ロープ４間の摩擦力が小さくなる。したがって、綱車１０に機械的に結合されている巻上機用モータ１１は、大きなトルクを発生することなく綱車１０を空転することができる。
この結果、非常止め装置５の安全確認試験は、巻上機用モータの大型化およびインバータ容量増加を抑えた状態で実施することができる。
【００１９】
この発明による実施の形態１によれば、かご２と、前記かご２との釣合いをとる釣合錘３と、一端部が前記かご２に接続され、他端部が前記釣合錘３に接続された主ロープ４からなるロープと、前記主ロープ４からなるロープが巻き掛けされた綱車１０と、前記綱車１０を駆動して前記かご２および前記釣合錘３を昇降させる巻上機用モータ１１と、前記かご２の下部に設けられ、前記かご２の異常落下時にかご２を強制的に停止させる非常止め装置５とを備えたエレベータ装置であって、単数または複数の前記釣合錘３を一式纏めて収納する釣合錘収納枠６に脱着可能として設置される固定治具８ａからなる固定装置を備え、非常止め試験に際して前記釣合錘収納枠６を持ち上げて上方向へ移動させるための前記固定治具８ａからなる固定装置を昇降路に配設される釣合錘用ガイドレール７に取り付ける固定治具用穴１４からなる取付手段を前記釣合錘用ガイドレール７に設けたので、非常止め試験に際して釣合錘収納枠を上方向へ移動させるための固定装置の取付手段を釣合錘用ガイドレールに設けることにより、簡潔かつ適切な構成内容により、非常止め試験時に綱車を空転させるために必要なトルクを小さくして、巻上機用モータの大型化およびインバ−タ容量の増加を抑えるエレベータ装置を得ることができる。
【００２０】
また、この発明による実施の形態１によれば、前項の構成において、前記釣合錘３を収納した釣合錘収納枠６に設けられるジャッキ装置９を備え、非常止め試験に際して前記釣合錘用ガイドレール７に取り付けられた前記固定治具８ａからなる固定装置を支点としてジャッキ装置９により前記釣合錘収納枠６を持ち上げて上方向へ移動させるジャッキアップ動作を行なわせるようにしたので、非常止め試験に際して釣合錘用ガイドレールに取り付けられた固定装置を支点として釣合錘収納枠を上方向へ移動させるジャッキ装置を設けることにより、簡潔かつ適切な構成内容により、非常止め試験時に綱車を空転させるために必要なトルクを小さくして、巻上機用モータの大型化およびインバ−タ容量の増加を抑えるエレベータ装置を得ることができる。
【００２１】
さらに、この発明による実施の形態１によれば、前項の構成において、前記固定治具８ａからなる固定装置および前記ジャッキ装置９を前記釣合錘収納枠６に設けることにより、前記固定治具８ａからなる固定装置および前記ジャッキ装置９の重量を前記釣合錘３に加重し通常運転時における前記釣合錘３の重量によるカウンタウエイト機能の一部を代替させるようにしたので、簡潔かつ適切な構成内容により、非常止め試験時に綱車を空転させるために必要なトルクを小さくして、巻上機用モータの大型化およびインバ−タ容量の増加を抑えるとともに、釣合錘を比較的小さくすることができるエレベータ装置を得ることができる。
【００２２】
そして、この発明による実施の形態によれば、前項の構成において、前記固定治具８ａからなる固定装置に前記釣合錘収納枠６からの落下を防止する鎖などからなる落下防止用金具１３で構成される落下防止手段を設けたので、簡潔かつ適切な構成内容により、非常止め試験時に綱車を空転させるために必要なトルクを小さくして、巻上機用モータの大型化およびインバ−タ容量の増加を抑えるとともに、固定装置の落下を確実に防止できるエレベータ装置を得ることができる。
【００２３】
さらにまた、この発明による実施の形態１によれば、かご２と、前記かご２との釣合いをとる釣合錘３と、一端部が前記かご２に接続され、他端部が前記釣合錘３に接続された主ロープ４からなるロープと、前記主ロープからなるロープ４が巻き掛けされた綱車１０と、前記綱車１０を駆動して前記かご２および前記釣合錘３を昇降させる巻上機用モータ１１と、前記かご２の下部に設けられ、前記かご２の異常落下時にかご２を強制的に停止させる非常止め装置５とを備えたエレベータ装置の非常止め試験に際して、単数または複数の前記釣合錘３を一式纏めて収納する釣合錘収納枠６に脱着可能として設置され前記釣合錘収納枠６を持ち上げて上方向へ移動させるための固定治具８ａからなる固定装置を昇降路に配設される釣合錘用ガイドレール７に取り付ける工程と、前記釣合錘用ガイドレール７に固定された固定治具８ａからなる固定装置を支点としてジャッキ装置９により前記釣合錘収納枠を持ち上げて上方向に移動させるジャッキアップ動作を行う工程と含むことを特徴とするエレベータ装置の非常止め試験方法を提供しているので、簡潔かつ適切な作業により、非常止め試験時に綱車を空転させるために必要なトルクを小さくして、巻上機用モータの大型化およびインバ−タ容量の増加を抑えるエレベータ装置の非常止め試験方法を得ることができる。
【００２４】
実施の形態２．
この発明による実施の形態２を図４について説明する。図４は実施の形態２におけるエレベータ装置の釣合錘部分の構成を示す側面図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００２５】
図４において、釣合錘収納枠６は非常止め試験時に停止した位置にある。固定治具８ｂは昇降路内壁面１７に据付けられていて、非常止め試験時に停止している釣合錘収納枠６の上方の位置に配置されている。固定治具８ｂは、通常状態では、２点鎖線に示すように、昇降路１２内の壁面１７に収められて固定治具倒れ防止用金具１６で固定されており、非常止め試験時に非常止め装置５が動作後に固定治具倒れ防止用金具１６を外して、実線で示すように、昇降路内１２側の釣合錘用ガイドレール７の付近まで移動させる。吊上げ装置１５は、通常状態では、釣合錘収納枠６に収納されていて、非常止め試験時に固定治具８ｂと釣合錘収納枠６間に繋がれる。そして、吊上げ装置１５は、通常状態において、実施の形態１における図２に示す、鎖などからなる落下防止金具１３と同様の落下防止金具により、釣合錘収納枠６に繋がれている。
【００２６】
このような構成のエレベータ装置１は、以下のようにして非常止め試験が行われる。即ち非常止め装置５を動作させてかご２の落下方向の移動を止める。この時かご２と主ロープ４で結合されている釣合錘収納枠６は、上方向への移動が停止する。
この状態で、昇降路内壁面１７に収納されている固定治具８ｂを固定治具倒れ防止用金具１６を外して昇降路内１２側に移動させる。その後釣合錘収納枠６に収納されている吊上げ装置１５を固定治具８ｂと釣合錘収納枠６間に繋げて、吊上げ装置１５を動作させることによって釣合錘収納枠６が上方向に移動する。これにより、かご２と釣合錘収納枠６間を結合している主ロープ４の張力が抜けて、綱車１０と主ロープ４間の摩擦力が小さくなる。この結果、綱車１０に機械的に結合されている巻上機用モータ１１は、大きなトルクを発生することなく綱車１０を空転することができる。
この結果、非常止め装置５の安全確認試験は、巻上機用モータ１１の大型化およびインバータ容量増加を抑えた状態で実施することができる。
【００２７】
以上のように、この発明では、非常止め試験のように短時間低速過負荷運転をする時に、固定治具から釣合錘収納枠をジャッキアップもしくは引き上げることにより、かごと釣合錘間のロープが緩み、綱車にかかる負荷が小さくなるので、小さいトルクで綱車を空転することができるため、インバータ装置の容量を大きくする必要がないばかりでなく、巻上機用モータも非常に大きなトルクを出す必要がないため構造的に強度アップする必要もなくなり、経済的なエレベータ装置を構成することができる。
【００２８】
この発明による実施の形態２によれば、かご２と、前記かご２との釣合いをとる釣合錘３と、一端部が前記かご２に接続され、他端部が前記釣合錘３に接続された主ロープ４からなるロープと、前記主ロープ４からなるロープが巻き掛けされた綱車１０と、前記綱車１０を駆動して前記かご２および前記釣合錘３を昇降させる巻上機用モータ１１と、前記かご２の下部に設けられ、前記かご２の異常落下時にかご２を強制的に停止させる非常止め装置５とを備えたエレベータ装置であって、前記釣合錘３が通過する空間に対向する昇降路１２の壁面１７に出し入れ可能に設けられた固定治具８ｂからなる固定装置と、前記釣合錘収納枠６に収納される吊り上げ装置１５とを備え、非常止め試験に際し前記釣合錘が通過する空間に対向する昇降路の壁面に突出された前記固定治具８ｂからなる固定装置を支点にして前記吊り上げ装置１５により前記釣合錘収納枠６を引き上げて上方向へ移動させるようにしたので、釣合錘収納枠に収納される吊り上げ装置を備え、非常止め試験に際して釣合錘が通過する空間に対向する昇降路の壁面に突出された固定装置を支点にして吊り上げ装置により釣合錘収納枠を上方向へ移動させることによって、簡潔かつ適切な構成内容により、非常止め試験時に綱車を空転させるために必要なトルクを小さくして、巻上機用モータの大型化およびインバ−タ容量の増加を抑えるエレベータ装置を得ることができる。
【００２９】
また、この発明による実施の形態２によれば、前項の構成において、前記吊り上げ装置１５を前記釣合錘収納枠７に設けることにより、前記吊り上げ装置１５の重量を前記釣合錘３に加重し通常運転時における前記釣合錘３の重量によるカウンタウエイト機能の一部を代替するようにしたので、簡潔かつ適切な構成内容により、非常止め試験時に綱車を空転させるために必要なトルクを小さくして、巻上機用モータの大型化およびインバ−タ容量の増加を抑えるとともに、釣合錘を比較的小さくすることができるエレベータ装置を得ることができる。
【００３０】
さらに、この発明による実施の形態２によれば、前項の構成において前記吊り上げ装置１５に前記釣合錘収納枠６からの落下を防止する鎖などからなる落下防止金具１３（図２参照）で構成される落下防止手段を設けたので、簡潔かつ適切な構成内容により、非常止め試験時に綱車を空転させるために必要なトルクを小さくして、巻上機用モータの大型化およびインバ−タ容量の増加を抑えるエレベータ装置を得ることができる。
【００３１】
そして、この発明による実施の形態２によれば、かご２と、前記かご２との釣合いをとる釣合錘３と、一端部が前記かご２に接続され、他端部が前記釣合錘３に接続された主ロープ４からなるロープと、前記主ロープ４からなるロープが巻き掛けされた綱車１０と、前記綱車１０を駆動して前記かご２および前記釣合錘３を昇降させる巻上機用モータ１１と、前記かご２の下部に設けられ、前記かご２の異常落下時にかご２を強制的に停止させる非常止め装置５とを備えたエレベータ装置の非常止め試験に際して、単数または複数の前記釣合錘３を一式纏めて収納する釣合錘収納枠６を引き上げて上方向へ移動させるための固定治具８ｂからなる固定装置を前記釣合錘３が通過する空間に対向する昇降路の壁面に突出させる工程と、前記釣合錘３が通過する空間に対向する昇降路の壁面に突出された前記固定治具８ｂからなる固定治具を支点として前記釣合錘収納枠６に収納される吊り上げ装置１５により前記釣合錘収納枠６を引き上げ上方向へ移動させる引き上げ動作を行う工程と含むことを特徴とするエレベータ装置の非常止め試験方法を提供しているので、非常止め試験に際して釣合錘が通過する空間に対向する昇降路の壁面に突出された固定装置を支点にして釣合錘収納枠に収納される吊り上げ装置によって釣合錘収納枠を上方向へ移動させることにより、簡潔かつ適切な作業により、非常止め試験時に綱車を空転させるために必要なトルクを小さくして、巻上機用モータの大型化およびインバ−タ容量の増加を抑えるエレベータ装置の非常止め試験方法を得ることができる。
【図面の簡単な説明】
【００３２】
【図１】この発明による実施の形態１におけるエレベータ装置の全体構成を示す側面図である。
【図２】この発明による実施の形態１におけるエレベータ装置の釣合錘部分の構成を示す正面図である。
【図３】この発明による実施の形態１におけるエレベータ装置の固定治具を釣合錘用ガイドレールに固定する固定手段を示す斜視図である。
【図４】この発明による実施の形態２におけるエレベータ装置の釣合錘部分の構成を示す正面図である。
【符号の説明】
【００３３】
１  エレベータ装置、２  かご、３  釣合錘、４  ロープ、５  非常止め装置、６  釣合錘収納枠、７  釣合錘用ガイドレール、８ａ、８ｂ  固定治具、９  ジャッキ装置、１０  綱車、１１  巻上機用モータ、１２  昇降路、１３  落下防止用金具、１４  固定治具用穴、１５  吊上げ装置、１６  固定治具倒れ防止用金具、１７  昇降路内壁面。
【図１】
2006168846.tif 000003
【図２】
2006168846.tif 000004
【図３】
2006168846.tif 000005
【図４】
2006168846.tif 000006